【手続補正書】
【提出日】平成17年9月6日(2005.9.6)
【手続補正１】
【補正対象書類名】特許請求の範囲
【補正対象項目名】全文
【補正方法】変更
【補正の内容】
【特許請求の範囲】
【請求項１】
大判の記録媒体にインクジェットプリンタを用いて画像を印刷するシステムであって、前記システムはスクリーン印刷のシミュレーションが可能であり、インクジェットプリンタと相互接続されたコンピュータを含み、前記インクジェットプリンタは前記大判の媒体への印刷に適応させたシステムにおいて、
前記コンピュータが、
（１）少なくとも１つがインデックス付きＲＧＢファイルフォーマットであり、少なくとももう１つがモノクロ画像フォーマットである複数の受領可能なファイルフォーマットで、前記画像を構成する入力データを受領し、
（２）前記入力データを、前記受領可能なファイルフォーマットから適切なＬ＊ａ＊ｂ＊ファイルフォーマットに転換し、
（３）前記適切なＬ＊ａ＊ｂファイルフォーマットを、前記インクジェットプリンタを駆動して、前記画像を前記大判の記録媒体に印刷することができるドライバーフォーマットに変換し、
（４）前記ドライバーフォーマットを前記プリンタに通知する
ようにプログラムされていることを特徴とするシステム。
【請求項２】
大判の記録媒体にインクジェットプリンタを用いて画像を印刷するシステムであって、前記システムはスクリーン印刷のシミュレーションが可能であり、インクジェットプリンタと相互接続されたコンピュータを含み、前記インクジェットプリンタは前記大判の媒体への印刷に適応させたシステムにおいて、
前記コンピュータが、
（１）インデックス付きＲＧＢファイルフォーマットとモノクロ画像フォーマットとからなる群から選択される受領可能なファイルフォーマットで、前記画像を構成する入力データを受領し、
（２）前記入力データを、前記受領可能なファイルフォーマットから適切なＬ＊ａ＊ｂ＊ファイルフォーマットに転換し、
（３）前記Ｌ＊ａ＊ｂファイルフォーマットの前記画像の色域を、前記スクリーンプリンタの推定スクリーン色再現域に対してマッピングして、前記色域を前記推定スクリーン色再現域に限定し、
（４）前記色域限定Ｌ＊ａ＊ｂファイルフォーマットを、前記インクジェットプリンタを駆動して、前記画像を前記大判の記録媒体に印刷することができるドライバーフォーマットに変換し、
（５）前記ドライバーフォーマットを前記プリンタに通知する
ようにプログラムされていることを特徴とするシステム。
【請求項３】
大判の記録媒体への印刷に適応させたインクジェットプリンタに相互接続したコンピュータを含み、大判の記録媒体への印刷に適応させたシステムを用いて、前記大判の記録媒体に画像を印刷する方法であって、
（１）複数の受領可能なファイルフォーマットで、前記画像を構成する入力データを前記コンピュータ内で受領する工程であって、前記受領可能なファイルフォーマットの少なくとも１つがインデックス付きＲＧＢファイルフォーマットであり、前記受領可能なファイルフォーマットの少なくとももう１つがモノクロ画像フォーマットである工程と、
（２）前記コンピュータ内で、前記入力データを、前記受領可能なファイルフォーマットから、適切なＬ＊ａ＊ｂ＊ファイルフォーマットに転換する工程と、
（３）前記コンピュータ内で、前記適切なＬ＊ａ＊ｂファイルフォーマットを、前記インクジェットプリンタを駆動して、前記画像を前記大判の記録媒体に印刷することができるドライバーフォーマットに変換する工程と、
（４）前記ドライバーフォーマットを前記インクジェットプリンタに通知し、前記インクジェットプリンタを駆動して前記画像を前記大判の記録媒体に印刷する工程と
を含むことを特徴とする方法。
【請求項４】
インクジェットプリンタに相互接続したコンピュータを含み、大判の記録媒体への印刷に適応させたシステムを用いて、前記大判の記録媒体に画像を印刷する方法であって、
（１）複数の受領可能なファイルフォーマットで、前記画像を構成する入力データを前記コンピュータ内で受領する工程であって、前記受領可能なファイルフォーマットの少なくとも１つがインデックス付きＲＧＢファイルフォーマットであり、前記受領可能なファイルフォーマットの少なくとももう１つがモノクロ画像フォーマットである工程と、
（２）前記コンピュータ内で、前記入力データを、前記受領可能なファイルフォーマットから、適切なＬ＊ａ＊ｂ＊ファイルフォーマットに転換する工程と、
（３）前記コンピュータ内で、前記Ｌ＊ａ＊ｂファイルフォーマットの前記画像の色域を、前記スクリーンプリンタの推定スクリーン色再現域に対してマッピングして、該色域を該推定スクリーン色再現域に限定する工程と、
（４）前記コンピュータ内で、前記色域限定Ｌ＊ａ＊ｂファイルフォーマットを、前記インクジェットプリンタを駆動して、前記画像を前記大判の記録媒体に印刷することができるドライバーフォーマットに変換する工程と、
（５）前記ドライバーフォーマットを前記インクジェットプリンタに通知し、前記インクジェットプリンタを駆動して前記画像を前記大判の記録媒体に印刷する工程と
を含むことを特徴とする方法。
【請求項５】
データフォーム中の画像の色域を、スクリーンプリンタの推定スクリーン色再現域に限定する方法であって、
（１）スクリーンプリンタの前記スクリーン色再現域を推定して、前記推定スクリーン色再現域を作成する工程と、
（２）前記画像の前記色域を、前記推定スクリーン色再現域に対してマッピングして、前記推定スクリーン色再現域の外に位置する前記色域中の１つまたは複数の色を識別する工程と、
（３）前記色域中の前記識別された１つまたは複数の色を、前記推定スクリーン色再現域内の色に再割り当てし、色再現域限定色域を作成する工程と
を含むことを特徴とする方法。
【請求項６】
水性媒体と、着色剤としての顔料と、ポリマーバインダーとを含む水性インクジェットインクであって、
前記インクの２５℃における粘度が１０〜３０ｃｐｓであり、
前記ポリマーバインダーが１つまたは複数の分散されたポリマーを含み、
顔料に対するバインダーの重量比が約２より大きく、
バインダーと顔料をあわせた量が、前記インクの重量の少なくとも約１５％である
ことを特徴とする水性インクジェットインク。
【請求項７】
（ａ）キナクリドン顔料と担体とを含む第１のマゼンタインクと、
（ｂ）キナクリドン顔料と担体とを含む第２のマゼンタインクであって、前記顔料は、前記第１のマゼンタインクの顔料と同一であるが、前記第１のマゼンタインクの顔料の約５〜９０重量％の量で存在している第２のマゼンタインクと、
（ｃ）銅フタロシアニンブルー顔料と担体とを含む第１のシアンインクと、
（ｄ）銅フタロシアニンブルー顔料と担体とを含む第２のシアンインクであって、前記顔料は、前記第１のシアンインクの顔料と同一であるが、前記第１のシアンインクの顔料の約５〜９０重量％の量で存在している第２のシアンインクと、
（ｅ）ジアリーリドイエロー顔料と担体とを含むイエローインクと、
（ｆ）ジアリーリドオレンジ顔料と担体とを含むオレンジインクと、
（ｇ）銅フタロシアニングリーン顔料と担体とを含むグリーンインクと、
（ｈ）カーボンブラック顔料と担体とを含むブラックインクと
を含有することを特徴とするインクジェットカラーセット。
【手続補正２】
【補正対象書類名】明細書
【補正対象項目名】００７１
【補正方法】変更
【補正の内容】
【００７１】
（６）フォールオンプレディクション（ＦＯＰ）モデルの構築：ＦＯＰは、プリンタプロファイルの逆ＬＵＴ（ＬａｂからＣＭＹＫＯＧ）とインターポレーターとを含む逆プリンタモデルと、ＰＡモデルと、ＣＣＲモデルと、プリンタプロファイルのフォワードＬＵＴ（ＣＭＹＫＯＧからＬａｂ）とインターポレーターとを含むフォワードプリンタモデルとからなる。フォールオンプレディクションの工程は以下を含む：Ｎ個のオーバーラップカラー（Ｌａｂ値）を逆プリンタモデルにＮ回入力する。逆プリンタモデルから出力されるＣＭＹＫＯＧ空間におけるＮ個のオーバーラップカラーをＰＡモデルに一緒に送る。インクカラー（Ｃ、Ｍ、Ｙ、Ｋ、ＯまたはＧ）ごとのＮ個のオーバーラップカラーを、ＰＡで個々に（全部で６回）処理する。ＰＡによって生成されたインクカラーごとのＮ個のオーバーラップカラーを合わせた値（ＣＭＹＫＯＧ値）を一緒にＣＣＲモデルに送る。ＣＣＲモデルで修正されたＣＭＹＫＯＧ値をフォワードプリンタモデルに入力する。フォワードプリンタモデルからの出力がオーバーラップカラーごとの予測されるＬａｂ値である。
以下に、本発明の好ましい態様を示す。
１．  大判の記録媒体にインクジェットプリンタを用いて画像を印刷するシステムであって、前記システムはスクリーン印刷のシミュレーションが可能であり、インクジェットプリンタと相互接続されたコンピュータを含み、前記インクジェットプリンタは前記大判の媒体への印刷に適応させたシステムにおいて、
前記コンピュータが、
（１）少なくとも１つがインデックス付きＲＧＢファイルフォーマットであり、少なくとももう１つがモノクロ画像フォーマットである複数の受領可能なファイルフォーマットで、前記画像を構成する入力データを受領し、
（２）前記入力データを、前記受領可能なファイルフォーマットから適切なＬ＊ａ＊ｂ＊ファイルフォーマットに転換し、
（３）前記適切なＬ＊ａ＊ｂファイルフォーマットを、前記インクジェットプリンタを駆動して、前記画像を前記大判の記録媒体に印刷することができるドライバーフォーマットに変換し、
（４）前記ドライバーフォーマットを前記プリンタに通知する
ようにプログラムされていることを特徴とするシステム。
２．  前記コンピュータが、前記Ｌ＊ａ＊ｂファイルフォーマットの前記画像の色域を、前記スクリーンプリンタの推定スクリーン色再現域に対してマッピングして、前記色域を前記推定スクリーン色再現域に限定するようにプログラムされ、それによって、（３）では前記色域限定Ｌ＊ａ＊ｂファイルフォーマットがドライバーフォーマットに変換されることを特徴とする１．に記載のシステム。
３．  大判の記録媒体にインクジェットプリンタを用いて画像を印刷するシステムであって、前記システムはスクリーン印刷のシミュレーションが可能であり、インクジェットプリンタと相互接続されたコンピュータを含み、前記インクジェットプリンタは前記大判の媒体への印刷に適応させたシステムにおいて、
前記コンピュータが、
（１）インデックス付きＲＧＢファイルフォーマットとモノクロ画像フォーマットとからなる群から選択される受領可能なファイルフォーマットで、前記画像を構成する入力データを受領し、
（２）前記入力データを、前記受領可能なファイルフォーマットから適切なＬ＊ａ＊ｂ＊ファイルフォーマットに転換し、
（３）前記Ｌ＊ａ＊ｂファイルフォーマットの前記画像の色域を、前記スクリーンプリンタの推定スクリーン色再現域に対してマッピングして、前記色域を前記推定スクリーン色再現域に限定し、
（４）前記色域限定Ｌ＊ａ＊ｂファイルフォーマットを、前記インクジェットプリンタを駆動して、前記画像を前記大判の記録媒体に印刷することができるドライバーフォーマットに変換し、
（５）前記ドライバーフォーマットを前記プリンタに通知する
ようにプログラムされていることを特徴とするシステム。
４．  前記大判の記録媒体が布であることを特徴とする１．〜３．のいずれか一項記載のシステム。
５．  前記インクジェットプリンタが、水性インクジェットインクを用いた印刷に適合していることを特徴とする１．〜３．のいずれか一項記載のシステム。
６．  大判の記録媒体への印刷に適応させたインクジェットプリンタに相互接続したコンピュータを含み、大判の記録媒体への印刷に適応させたシステムを用いて、前記大判の記録媒体に画像を印刷する方法であって、
（１）複数の受領可能なファイルフォーマットで、前記画像を構成する入力データを前記コンピュータ内で受領する工程であって、前記受領可能なファイルフォーマットの少なくとも１つがインデックス付きＲＧＢファイルフォーマットであり、前記受領可能なファイルフォーマットの少なくとももう１つがモノクロ画像フォーマットである工程と、
（２）前記コンピュータ内で、前記入力データを、前記受領可能なファイルフォーマットから、適切なＬ＊ａ＊ｂ＊ファイルフォーマットに転換する工程と、
（３）前記コンピュータ内で、前記適切なＬ＊ａ＊ｂファイルフォーマットを、前記インクジェットプリンタを駆動して、前記画像を前記大判の記録媒体に印刷することができるドライバーフォーマットに変換する工程と、
（４）前記ドライバーフォーマットを前記インクジェットプリンタに通知し、前記インクジェットプリンタを駆動して前記画像を前記大判の記録媒体に印刷する工程と
を含むことを特徴とする方法。
７．  前記Ｌ＊ａ＊ｂファイルフォーマットの前記画像の色域を、前記スクリーンプリンタの推定スクリーン色再現域に対してマッピングし、前記色域を前記推定スクリーン色再現域に限定する工程をさらに含み、それによって、工程（３）で前記色域限定Ｌ＊ａ＊ｂファイルフォーマットがドライバーフォーマットに変換されることを特徴とする６．に記載の方法。
８．  インクジェットプリンタに相互接続したコンピュータを含み、大判の記録媒体への印刷に適応させたシステムを用いて、前記大判の記録媒体に画像を印刷する方法であって、
（１）複数の受領可能なファイルフォーマットで、前記画像を構成する入力データを前記コンピュータ内で受領する工程であって、前記受領可能なファイルフォーマットの少なくとも１つがインデックス付きＲＧＢファイルフォーマットであり、前記受領可能なファイルフォーマットの少なくとももう１つがモノクロ画像フォーマットである工程と、
（２）前記コンピュータ内で、前記入力データを、前記受領可能なファイルフォーマットから、適切なＬ＊ａ＊ｂ＊ファイルフォーマットに転換する工程と、
（３）前記コンピュータ内で、前記Ｌ＊ａ＊ｂファイルフォーマットの前記画像の色域を、前記スクリーンプリンタの推定スクリーン色再現域に対してマッピングして、該色域を該推定スクリーン色再現域に限定する工程と、
（４）前記コンピュータ内で、前記色域限定Ｌ＊ａ＊ｂファイルフォーマットを、前記インクジェットプリンタを駆動して、前記画像を前記大判の記録媒体に印刷することができるドライバーフォーマットに変換する工程と、
（５）前記ドライバーフォーマットを前記インクジェットプリンタに通知し、前記インクジェットプリンタを駆動して前記画像を前記大判の記録媒体に印刷する工程と
を含むことを特徴とする方法。
９．  前記大判の記録媒体が布であることを特徴とする７．〜９．のいずれか一項記載の方法。
１０．  前記インクジェットプリンタが、水性インクジェットインクを用いた印刷に適合していることを特徴とする７．〜９．のいずれか一項記載の方法。
１１．  データフォーム中の画像の色域を、スクリーンプリンタの推定スクリーン色再現域に限定する方法であって、
（１）スクリーンプリンタの前記スクリーン色再現域を推定して、前記推定スクリーン色再現域を作成する工程と、
（２）前記画像の前記色域を、前記推定スクリーン色再現域に対してマッピングして、前記推定スクリーン色再現域の外に位置する前記色域中の１つまたは複数の色を識別する工程と、
（３）前記色域中の前記識別された１つまたは複数の色を、前記推定スクリーン色再現域内の色に再割り当てし、色再現域限定色域を作成する工程と
を含むことを特徴とする方法。
１２．  水性媒体と、着色剤としての顔料と、ポリマーバインダーとを含む水性インクジェットインクであって、
前記インクの２５℃における粘度が１０〜３０ｃｐｓであり、
前記ポリマーバインダーが１つまたは複数の分散されたポリマーを含み、
顔料に対するバインダーの重量比が約２より大きく、
バインダーと顔料をあわせた量が、前記インクの重量の少なくとも約１５％である
ことを特徴とする水性インクジェットインク。
１３．  （ａ）キナクリドン顔料と担体とを含む第１のマゼンタインクと、
（ｂ）キナクリドン顔料と担体とを含む第２のマゼンタインクであって、前記顔料は、前記第１のマゼンタインクの顔料と同一であるが、前記第１のマゼンタインクの顔料の約５〜９０重量％の量で存在している第２のマゼンタインクと、
（ｃ）銅フタロシアニンブルー顔料と担体とを含む第１のシアンインクと、
（ｄ）銅フタロシアニンブルー顔料と担体とを含む第２のシアンインクであって、前記顔料は、前記第１のシアンインクの顔料と同一であるが、前記第１のシアンインクの顔料の約５〜９０重量％の量で存在している第２のシアンインクと、
（ｅ）ジアリーリドイエロー顔料と担体とを含むイエローインクと、
（ｆ）ジアリーリドオレンジ顔料と担体とを含むオレンジインクと、
（ｇ）銅フタロシアニングリーン顔料と担体とを含むグリーンインクと、
（ｈ）カーボンブラック顔料と担体とを含むブラックインクと
を含有することを特徴とするインクジェットカラーセット。